(57)【要約】【課題】箱内を細かく区画して、箱内での商品の移動を抑制する。【解決手段】周壁をなす各一対の側壁１及び端壁２のうち、一方の端壁２は各側壁１から延びる部分を継ぎ合わせて形成し、その一方の部分から延出した縦仕切板３の先端を他方の端壁２に固着した仕切付き箱において、前記縦仕切板３を、その長さ方向中央部から先端側及び基端側へ切り込んで、基部が細く上下に並んだ２枚の横仕切板７を形成し、これら２枚の横仕切板７を、縦仕切板３から相反する方向へ起こし、各横仕切板７の先端の継代８を各側壁１に固着して、箱内を４つの空間に区画する。【選択図】　図２
2004099076.tif 000002
【特許請求の範囲】
【請求項１】
周壁をなす各一対の側壁１及び端壁２のうち、一方の端壁２は各側壁１から延びる部分を継ぎ合わせて形成し、その一方の部分から延出した縦仕切板３の先端を他方の端壁２に固着した仕切付き箱において、前記縦仕切板３を、その長さ方向中央部から先端側及び基端側へ切り込んで、基部が細く上下に並んだ２枚の横仕切板７を形成し、これら２枚の横仕切板７を、縦仕切板３から相反する方向へ起こし、各横仕切板７の先端の継代８を各側壁１に固着したことを特徴とする仕切付き箱。
【請求項２】
周壁をなす各一対の側壁１及び端壁２のうち、一方の端壁２は各側壁１から延びる部分を継ぎ合わせて形成し、その一方の部分から延出した縦仕切板３の先端を他方の端壁２に固着した仕切付き箱において、前記縦仕切板３に縦折線１３を基端とする捻り片１４を設け、この捻り片１４に横折線１５を介し横仕切板１６を連設して、その端縁にスリット１７を形成し、縦仕切板３から縦折線１３を軸に捻り片１４を９０°折り曲げ、捻り片１４から横折線１５を軸に横仕切板１６を１８０°折り曲げて、スリット１７に縦仕切板３を差し込んだことを特徴とする仕切付き箱。
【発明の詳細な説明】
【０００１】
【発明の属する技術分野】
この発明は、周壁と一体の仕切板を十字状に設けた紙箱に関するものである。
【０００２】
【従来の技術】
従来より、商品の輸送に使用する仕切付きの段ボール箱として、図７に示すように、周壁をなす各一対の側壁１及び端壁２のうち、一方の端壁２は隣接する側壁１から延びる部分をフラップ５と共に接合して形成し、その一方から延出した縦仕切板３の先端の継代４を対向する端壁２に接合して内部を区画し、フラップ５，６を重ねて封緘するものが使用されている（例えば特許文献１参照。）。
【０００３】
【特許文献１】
実公昭６２−１０７６号公報（第２図）
【０００４】
【発明が解決しようとする課題】
ところで、上記のような段ボール箱では、箱内での商品の移動を十分に阻止できず、箱の重心が偏ったり、商品が破損したりすることがある。
【０００５】
そこで、この発明は、箱内を細かく区画して、箱内での商品の移動を抑制しようとするものである。
【０００６】
【課題を解決するための手段】
上記課題を解決するため、この発明に係る仕切付き箱では、縦仕切板を、その長さ方向中央部から先端側及び基端側へ切り込んで、基部が細く上下に並んだ２枚の横仕切板を形成し、これら２枚の横仕切板を、縦仕切板から相反する方向へ起こし、各横仕切板の先端の継代を各側壁に固着して、箱内を４つの空間に区画することとしたのである。
【０００７】
また、縦仕切板に縦折線を基端とする捻り片を設け、この捻り片に横折線を介してスリットを有する横仕切板を連設し、縦仕切板から縦折線を軸に捻り片を９０°折り曲げ、捻り片から横折線を軸に横仕切板を１８０°折り曲げて、スリットに縦仕切板を差し込み、箱内を４つの空間に区画することとしたのである。
【０００８】
【発明の実施の形態】
まず、この発明の第１実施形態を図１乃至図３に基づいて説明する。
【０００９】
図１に示すように、この段ボール箱のブランクでは、一対の側壁１の内側に端壁２が、外側に端壁２の部分がそれぞれ連設され、一方の端壁２の部分から縦仕切板３が延出されている。縦仕切板３の先端には継代４が設けられ、各側壁１及び端壁２の上下縁にはそれぞれフラップ５，６が連設されている。
【００１０】
縦仕切板３には、その長さ方向中央部から先端側及び基端側への切込により２枚の横仕切板７が形成され、これら２枚の横仕切板７の基部は細くなって上下に並び、各横仕切板７の先端には継代８が設けられている。
【００１１】
上記ブランクを組み立てるには、図２に示すように、側壁１及び端壁２を順次折り曲げ、分割された一方の端壁２及びフラップ５を継ぎ合わせると共に、縦仕切板３を折り曲げて、継代４を他方の端壁２の裏面に貼り付け、横仕切板７を縦仕切板３から相反する方向へ起こし、その先端の継代８を各側壁１に固着する。
【００１２】
そして、下方のフラップ５，６を閉止して、縦仕切板３及び横仕切板７で４つに区画された箱内の各収納空間に商品を収納し、図３に示すように、上方のフラップ５，６を閉止する。
【００１３】
このように構成された仕切付き段ボール箱では、箱内が従来の縦仕切板３だけのものより細かく区画されるので、箱内における商品の移動が抑制され、箱の重心の偏りや商品の破損が防止される。
【００１４】
また、縦仕切板３及び横仕切板７の継代４，８がそれぞれ端壁２及び側壁１に貼着されているので、段積み時における胴膨れが防止される。
【００１５】
そのほか、この段ボール箱は、製造に際し、従来の工程に横仕切板７の抜き加工と継代８の貼り加工を付加するだけで、機械で容易に製造することができ、使用に際しては、扁平な状態から起こすだけで、迅速に組み立てられる。
【００１６】
次に、この発明の第２実施形態を図４乃至図６に基づいて説明する。この段ボール箱は、上記構成に加えて、図４に示すように、周壁下部の裏面に全周に亘ってカットテープ９を貼り付け、側壁１の両側部、継代８の基端及びフラップ６の両端基部にそれぞれ切目線１０，１１，１２を入れたものとなっている。
【００１７】
この段ボール箱では、側壁１をカットテープ９及び２本の切目線１０沿いに切断すると共に、継代８の基端を切目線１１沿いに切断し、フラップ６の両端基部を切目線１２沿いに切断すると、図５に示すように、側面から天面にかけて開口した状態で、商品を陳列することができる。
【００１８】
また、周壁の残りの部分をカットテープ９沿いに切断し、その上方部分を除去すると、図６に示すように、トレー状の形態となるので、段積み時に最上段となる箱に収納された商品の大部分を露出させて陳列することができ、商品の販売促進効果の向上が期待できる。
【００１９】
次に、この発明の第３実施形態を図７乃至図９に基づいて説明する。
【００２０】
図７に示すように、この段ボール箱のブランクでは、一対の側壁１の内側に端壁２が、外側に端壁２の部分がそれぞれ連設され、一方の端壁２の部分から縦仕切板３が延出されている。縦仕切板３の先端には継代４が設けられ、各側壁１及び端壁２の上下縁にはそれぞれフラップ５，６が連設されている。
【００２１】
縦仕切板３には、下縁を円弧状に切り込んで縦折線１３を基端とする捻り片１４が設けられ、この捻り片１４には横折線１５を介し横仕切板１６が連設されている。横仕切板１６の端縁にはスリット１７が形成され、その入口には係合突起１８が、縦仕切板３には縦折線１３の延長線上に係合穴１９が設けられている。
【００２２】
上記ブランクを組み立てるには、図８に示すように、側壁１及び端壁２を順次折り曲げ、分割された一方の端壁２及びフラップ５を継ぎ合わせると共に、縦仕切板３を折り曲げて、継代４を他方の端壁２の裏面に貼り付ける。
【００２３】
次いで、縦仕切板３から縦折線１３を軸に捻り片１４を９０°折り曲げ、捻り片１４から横折線１５を軸に横仕切板１６を１８０°折り曲げて、スリット１７に縦仕切板３を差し込み、係合突起１８を係合穴１９に係合させ、これにより、横仕切板１６を、縦仕切板３に直交した起立状態で保持する。
【００２４】
そして、下方のフラップ５，６を閉止して、縦仕切板３及び横仕切板１６で４つに区画された箱内の各収納空間に商品を収納し、図９に示すように、上方のフラップ５，６を閉止する。
【００２５】
このように構成された仕切付き段ボール箱では、箱内が従来の縦仕切板３だけのものより細かく区画されるので、箱内における商品の移動が抑制され、箱の重心の偏りや商品の破損が防止される。
【００２６】
また、この段ボール箱は、製造に際し、従来切り落とされていた部分を横仕切板１６として有効に利用でき、扁平に折り畳んだ状態で継代４を糊貼りする際、横仕切板１６の端縁をフラップ５，６の端縁と揃えて、縦仕切板３のずれを矯正できる。そして、使用に際しては、手作業で簡単に組み立てられる。
【００２７】
次に、この発明の第４実施形態を図１０乃至図１２に基づいて説明する。この段ボール箱は、上記構成に加えて、図１０に示すように、周壁下部の裏面に全周に亘ってカットテープ２０を貼り付け、側壁１の両側部及びフラップ６の両端基部にそれぞれ切目線２１，２２を入れたものとなっている。
【００２８】
この段ボール箱では、側壁１をカットテープ２０及び２本の切目線２１沿いに切断し、フラップ６の両端基部を切目線２２沿いに切断すると、図１１に示すように、側面から天面にかけて開口した状態で、商品を陳列することができる。
【００２９】
また、周壁の残りの部分をカットテープ２０沿いに切断し、その上方部分を除去すると、図１２に示すように、トレー状の形態となるので、段積み時に最上段となる箱に収納された商品の大部分を露出させて陳列することができる。
【００３０】
なお、上記実施形態では、縦仕切板３の下部にのみ横仕切板１６を設けた例を示したが、図１３に示す第５実施形態のように、縦仕切板３の下部に加えて、上部にも横仕切板１６を設けると、箱内を全高さに亘って区画することができる。
【００３１】
【発明の効果】
以上のように、この発明に係る仕切付き箱では、端壁間に渡る縦仕切板から２枚の横仕切板を相反する方向へ切り起こし、その先端を各側壁に固着することにより、箱内を４つの空間に区画したので、箱内での商品の移動が抑制され、箱の重心の偏りや商品の破損が防止される。
【００３２】
また、端壁間に渡る縦仕切板に捻り片を介して横仕切板を連設し、横仕切板を縦折線及び横折線を軸に捻るように折り曲げて縦仕切板に直交させても、同様の効果が得られる。
【図面の簡単な説明】
【図１】この発明の第１実施形態に係る仕切付き箱のブランクを示す図
【図２】同上の組立開蓋状態を示す斜視図
【図３】同上の閉蓋状態を示す斜視図
【図４】この発明の第２実施形態に係る仕切付き箱の閉蓋状態を示す斜視図
【図５】同上の開口状態を示す斜視図
【図６】同上のトレー状態を示す斜視図
【図７】この発明の第３実施形態に係る仕切付き箱のブランクを示す図
【図８】同上の組立開蓋状態を示す斜視図
【図９】同上の閉蓋状態を示す斜視図
【図１０】この発明の第４実施形態に係る仕切付き箱の閉蓋状態を示す斜視図
【図１１】同上の開口状態を示す斜視図
【図１２】同上のトレー状態を示す斜視図
【図１３】この発明の第５実施形態に係る仕切付き箱の閉蓋状態を示す斜視図
【図１４】従来の仕切付き箱を示す斜視図
【符号の説明】
１　側壁
２　端壁
３　縦仕切板
４　継代
５，６　フラップ
７　横仕切板
８　継代
９　カットテープ
１０，１１，１２　切目線
１３　縦折線
１４　捻り片
１５　横折線
１６　横仕切板
１７　スリット
１８　係合突起
１９　係合穴
２０　カットテープ
２１，２２　切目線
【図１】
2004099076.tif 000003
【図２】
2004099076.tif 000004
【図３】
2004099076.tif 000005
【図４】
2004099076.tif 000006
【図５】
2004099076.tif 000007
【図６】
2004099076.tif 000008
【図７】
2004099076.tif 000009
【図８】
2004099076.tif 000010
【図９】
2004099076.tif 000011
【図１０】
2004099076.tif 000012
【図１１】
2004099076.tif 000013
【図１２】
2004099076.tif 000014
【図１３】
2004099076.tif 000015
【図１４】
2004099076.tif 000016